(57)【特許請求の範囲】
【請求項１】
調理用テーブル面に設けられた取付孔に器具本体を上部から組込み左右の器具側面と該取付孔側壁との間に生じた隙間を、器具の両側部に形成した化粧板受部に前面から化粧板を挿入することにより塞ぐ組込型調理器において、
器具の前面操作板の左右両端を折り曲げて器具左右側面に重ね合わせるとともに、該重ね合わせ部の後方で上記化粧板を挿入ガイドし挿入完了位置を決めるための挿入ガイドを設けて化粧板受部を構成し、
化粧板は、挿入時に該挿入ガイドに嵌合する突出片と挿入完了時に上記前面操作板の重ね合わせ端に係止される段差部とを設けたことを特徴とする組込型調理器。
【請求項２】
上記前面操作板の左右重ね合わせ端は円弧状に形成し、上記化粧板の段差部を上記重ね合わせ端と同じ曲率の円弧状に形成して挿入時に当接させたことを特徴とする請求項１記載の組込型調理器。
【請求項３】
上記化粧板は、上下に器具を挟み込む突起を設けたことを特徴とする請求項１あるいは請求項２記載の組込型調理器。
【発明の詳細な説明】
【０００１】
【発明の属する技術分野】
本発明は、キッチンユニット組込型調理器の化粧板取付構造に関する。
【０００２】
【従来の技術】
従来より、キッチンユニットのカウンタに一体で収納したいわゆるビルトイン式の調理用ガステーブルコンロがある。このタイプの組込型テーブルコンロにおいては、図３に示すように、カウンタトップ３１に設けた４角の取付孔３２から器具を落とし込み左右に張り出した器具上端をカウンタトップに引っ掛けることにより係止する。
このとき、器具の横幅とキッチンユニット取付孔の幅とに寸法差があり、器具を単に落とし込んで収納しただけでは、器具側面と取付孔側壁との間に隙間３３が生じキッチンユニット素材がむきだしとなってしまうので、収納後さらに隙間３３に正面から化粧板（以下サイドモールと呼ぶ）を取り付ける。
従来の器具では、図６に示すように、湾曲した押さえ部６２ａを持つ板バネ６２をビス６１を使用して器具側面に取り付け、その押さえ部６２ａに突出片６３ａを設けたサイドモール６３を正面から挿入する。また、特開平６−２５７７６６には、図７，図８に示すように、器具の操作パネル側面７１に切り起こし部７１ａと位置決め孔７１ｂとを設け、この切り起こし部７１ａに嵌合する形状で端部にひっかかる突起７２ｂと位置決め孔７１ｂにはまり込む位置決め用突起７２ｃとを有する嵌合保持部７２ａを備えたサイドモール７２を組み付けることにより、板バネがなくてもサイドモール７２の取付が容易にできるものが示されている。
また、実公平８−６１６５には、図示しないが、サイドモールの挿入方向に突出した２本の平行な突片を設け、その先端部に、弾性力を発生させサイドモールを器具側面に押しつけるための突起と、挿入位置を決定する位置決め用突起とを形成し、２本の突片の中間には別の突片を設け、器具外側面には、その中間の突片を挿入してガイドする保持部を設けたものが示されている。このサイドモールも容易に取付ができると共に、器具外側面に対して弾性保持されて器具外側面との間に隙間ができない。
【０００３】
【発明が解決しようとする課題】
しかしながら、これらのサイドモールは、いずれも、サイドモールを取り外す時に手前に引っ張り無理に突起のエッジを変形させるために、一度サイドモールを外して再度挿入し直した場合には、ゆるくなってしまう恐れがある。
つまり、特開平６−２５７７６６のサイドモール５２は、突起７２ｂと位置決め用突起７２ｃとが互いに反対方向に突出してロックしているため、サイドモール５２を左右いずれか一方に寄せても、とちらかの突起がはまり込んだ状態となり、簡単には抜けない。そのため、無理に、手前に引っ張ることによって突起７２ｂを切り起こし部７１ａから引出し、これらの突起のエッジを変形させるために、一度サイドモール７２を外して再度挿入し直した場合には、今度はゆるくなってしまう。実公平８−６１６５のサイドモールも、そのまま手前に引っ張ることによって位置決め用突起を位置決め孔より脱出させる必要があるので、位置決め用突起のエッジを変形させてしまう。
本発明は上記課題を解決し、着脱時のサイドモールの変形を無くした組込型調理器の提供を目的とする。
【０００４】
【課題を解決するための手段】
上記課題を解決する本発明の請求項１記載の組込型調理器は、
調理用テーブル面に設けられた取付孔に器具本体を上部から組込み左右の器具側面と該取付孔側壁との間に生じた隙間を、器具の両側部に形成した化粧板受部に前面から化粧板を挿入することにより塞ぐ組込型調理器において、
器具の前面操作板の左右両端を折り曲げて器具左右側面に重ね合わせるとともに、該重ね合わせ部の後方で上記化粧板を挿入ガイドし挿入完了位置を決めるための挿入ガイドを設けて化粧板受部を構成し、
化粧板は、挿入時に該挿入ガイドに嵌合する突出片と挿入完了時に上記前面操作板の重ね合わせ端に係止される段差部とを設けたことを要旨とする。
【０００５】
請求項２記載の組込型調理器は、請求項１記載の組込型調理器において、
上記前面操作板の左右重ね合わせ端は円弧状に形成し、上記化粧板の段差部を上記重ね合わせ端と同じ曲率の円弧状に形成して挿入時に当接させたことを要旨とする。
【０００６】
請求項３記載の組込型調理器は、請求項１あるいは請求項２記載の組込型調理器において、
上記化粧板は、上下に器具を挟み込む突起を設けたことを要旨とする。
【０００７】
請求項１記載の組込型調理器は、調理用テーブル面に設けられた取付孔に器具全体を上部から組み込み、その後左右の両側面に化粧板を取り付ける。化粧板は、器具の両側面に設けられた化粧板受部の挿入ガイドに、その突出片を嵌合させ挿入完了位置まで挿入する。
化粧板を化粧板受部に挿入完了位置まで挿入すると、化粧板の突出片が前面操作板の重ね合わせ面を乗り越え、段差部と重ね合わせ端とが当接することによりロックされる。従って、いったん化粧板が化粧板受部に組み付けられると、化粧板が容易に外れてしまうことがなく、通常使用時に器具から誤って外れることもない。特に、重ね合わせ端部に対応して、化粧板の段差部が線状に長く延びているので、がたがなく確実に組み付けされる。
いっぽう、化粧板を取り外す場合には、化粧板を、器具外側（横）に押すだけで容易にロックが外れるので、そのまま手前へ引き抜くことができる。しかも、段差部の段高さは小さくても充分に重ね合わせ端に当接させることができるので、例えば、段高さを小さくしたものでは、極めて容易にロックを外すことができる。
そのため、化粧板を取り外す時に化粧板が変形してしまうことがないので、再び化粧板を挿入した場合に、組み付けがゆるくなり化粧板の位置が決まらなかったりロックができないということもない。
【０００８】
また、請求項２記載の組込型調理器は、化粧板の段差部に、前面操作板の円弧状の面と同じ曲率の円弧状の面を形成して挿入時に当接させるので、円弧状の面で上下が位置決めされ、簡易な構成でありながら組み付けが確実でがたが生じない。
【０００９】
また、請求項３記載の組込型調理器は、化粧板挿入時に、化粧板の上下の突起により器具を挟み込むので、上下が位置決めされ、組み付けが確実でがたが生じない。
【００１０】
【発明の実施形態】
以上説明した本発明の構成・作用を一層明らかにするために、以下本発明の組込型調理器の好適な実施例について図を用いて説明する。
図１，図２及び図３に示すように、組込型テーブルコンロ２１（以下単にコンロ２１と呼ぶ）においては、カウンタトップ３１に設けた４角形の取付孔３２からコンロ２１を落とし込みコンロ２１の上端１１をカウンタトップ３１に引っ掛けることにより係止する。収納後さらにコンロ側面２２とカウンタトップ３１取付孔３２壁面との隙間３３に、正面から化粧板であるサイドモール２３を取り付ける。なお、図３に関しては、組込型テーブルコンロのサイドモール取付状態を表すもので、サイドモールに関しては、本実施例を表すものではない。
コンロ前面には、前面操作板２５が取り付けられ、コンロ側面２２へ重ね合わせ２６が形成される。重ね合わせ２６は、器具後方へＬ寸法の長さに形成される。また、コンロ側面２２には、サイドモールを挿入してガイドするための挿入ガイド２２ａが設けられる。挿入ガイド２２ａは、コンロ側面２２から一体で切り起こす。
サイドモール２３は、コンロ両端と取付壁との間の隙間を覆う幅を持ち、側面には、挿入ガイド２２ａに嵌合する突出片２３ａが挿入方向に延びる。突出片２３ａの上下には、挿入完了位置を決める溝２３ｃが形成される。側面には、前面操作板２５の重ね合わせ２６の長さＬに対応して、正面から見てＬ寸法後方に段差部２３ｂが設けられ、前面は重ね合わせ２６の厚さ分だけ巾を狭くする。
サイドモール２３は、弾性を持った樹脂で一体成形され、突出片２３ａは変形すると弾性により元に戻ろうとする力を発生する。
【００１１】
サイドモール２３のコンロ２１への取付は、サイドモール２３の突出片２３ａをコンロ２１の挿入ガイド２２ａへ挿入する。サイドモール２３を後方へ向かって挿入していくと、挿入ガイド２２ａとサイドモール２３の溝２３ｃの底が当接し、それ以上の移動を阻止されて挿入が完了する。この時、サイドモール２３は、突出片２３ａがいったん弾性変形して重ね合わせ２６を乗り越え、段差部２３ｂと重ね合わせ２６とが当接し手前方向にも移動できなくなるので、挿入完了位置でロックされる。そのため、単に手前に引き抜こうとしてもロックは解除されず、サイドモール２３が不用意に器具から外れることがない。
いっぽう、この状態からサイドモール２３を取り外すには、図２に示すように、サイドモール２３をいったんロック解除方向（横方向）に押し、段差部２３ｂを重ね合わせ２６から外すだけでロックを解除でき、そのまま簡単に手前に引き抜くことができる。また、こうした時にサイドモール２３が変形してしまうことがないので、再びサイドモール２３を挿入した場合に、段差部２３ｂと重ね合わせ２６との係合がゆるくなることがなくロックがかからないということもない。また、後方の挿入ガイド２２ａで位置決めされ、手前の段差部２３ｂと重ね合わせ２６とが当接するため、挿入ガイド２２ａを支点とした上下の回転ずれが極めて少ない。そのため、前面から見て装着ずれが目立たない。
なお、挿入ガイド２２ａは、コンロ側面２２より一体で成形されるので、簡易な構成で位置も正確に決まり、安価に製造できる。
以上本発明の実施例について説明したが、本発明はこうした実施例に何等限定されるものではなく、本発明の要旨を逸脱しない範囲において、種々なる態様で実施し得ることは勿論である。
例えば、図４に示すように、前面操作板４５の重ね合わせ４６の端部４６ａを円弧状に形成し、いっぽうサイドモール４３の段差部４３ｂは、その円弧状の面と同じ曲率の円弧状の面を形成し、挿入時に端部４６ａと段差部４３ｂとを当接させてもよい。このサイドモール４３では、さらに上下位置が確実に位置決めされ、がたが生じない。
また、図５に示すように、化粧板５３の上下に器具を挟み込む突起５８ａ，５８ｂを設け、その突起５８ａ，５８ｂにより上下のずれを防止してもよい。
【００１２】
【発明の効果】
以上詳述したように、請求項１記載の組込型調理器は、いったん化粧板が化粧板受部に組み付けられるとロックされ使用中に化粧板が誤って外れることがなく、いっぽう、化粧板を外そうとする場合には、容易にロックを外すことができ、化粧板の取付，取外しが確実かつ簡単にできる。また、こうした時に化粧板が変形してしまうことがないので、再び化粧板を挿入した場合に、組み付けがゆるくなり化粧板の位置が決まらなかったりロックができないということもない。
【００１３】
請求項２及び請求項３記載の組込型調理器は、円弧状の面あるいは上下の突起により位置決めされ、組み付けが確実でがたが生じない。
【図面の簡単な説明】
【図１】１実施例としての組込型テーブルコンロの概略構成図である。
【図２】挿入ガイドにサイドモールを挿入した状態の断面図である。
【図３】カウンタにテーブルコンロを組込んだ状態を説明した図である。
【図４】別実施例としての組込型テーブルコンロの概略構成図である。
【図５】別実施例としての組込型テーブルコンロの概略構成図である。
【図６】従来例としての組込型テーブルコンロの概略構成図である。
【図７】従来例としての組込型テーブルコンロの概略構成図である。
【図８】従来の挿入ガイドにサイドモールを挿入した状態の断面図である。
【符号の説明】
２１  組込型テーブルコンロ
２２  コンロ側面
２２ａ  挿入ガイド
２３，４３，５３，６３，７２  サイドモール
２３ａ，６３ａ  突出片
２３ｂ  段差部
２５  前面操作板
２６  重ね合わせ
６１  ビス
６２  板バネ
【図１】
0003729471.tif 000002
【図２】
0003729471.tif 000003
【図３】
0003729471.tif 000004
【図４】
0003729471.tif 000005
【図５】
0003729471.tif 000006
【図６】
0003729471.tif 000007
【図７】
0003729471.tif 000008
【図８】
0003729471.tif 000009